(57)【要約】      （修正有）【課題】確実に実用性があり、且つ温度調整過程の流量変化が小さく、温度調整が高感度で、ガスを十分に燃焼させることができるセラミックバルブ構造を提供する。【解決手段】底部中空の弁箱１０に連動座が捻って設けられ、連動座の頂部にはハンドル３０が設けられ、また、ハンドル３０の第一端は弁箱１０より延伸し、そしてハンドル３０の第二端は連動座を貫通し、駆動ブロックが設けられる。なお、駆動ブロックの連動座と異なる一面には可動弁体が設けられ、弁箱１０の底部を閉鎖するための弁座７０を設置する。また、弁座７０に設置する固定弁体の両面は水密方法でそれぞれ弁座と可動弁体に貼り付けられている。セラミックバルブ構造が中段位置にある時、完全に冷水を提供し、且つ水温度を上げる時、全体の温度上昇の過程では、水量の変化を最低にする。【選択図】図１
0003201715.tif 000002
【実用新案登録請求の範囲】
【請求項１】
セラミックバルブ構造であって、
底部中空の弁箱（１０）には連動座（２０）が捻って設けられ、連動座（２０）の頂部にはハンドル（３０）が設けられ、また、ユーザーがハンドル（３０）で連動座（２０）の回転を操作するため、ハンドル（３０）の第一端は弁箱（１０）より延伸し、そしてハンドル（３０）の第二端は連動座（２０）を貫通し、かつ駆動ブロック（４０）が設けられ、なお、駆動ブロック（４０）の連動座（２０）と異なる一面には可動弁体（５０）が設けられ、弁箱（１０）の底部を閉鎖するための弁座（７０）を設置し、また、弁座（７０）に設置する固定弁体（６０）の両面は水密方法でそれぞれ弁座（７０）と可動弁体（５０）に貼り付けられており、なお、ユーザーがハンドル（３０）と駆動ブロック（４０）で可動弁体（５０）を操作する時、可動弁体（５０）が固定弁体（６０）に相対して水平に移動し、出水温度を選択、調整する目的を達成し、
そして、固定弁体（６０）には出水口（６１）、及び互いに鏡映対応する冷水導入口（６２）と熱水導入口（６３）が形成され、
可動弁体（５０）の底面には流体制御溝（５１）、第一補助溝（５２）、第二補助溝（５３）が形成され、流体制御溝（５１）は冷水導入口（６２）の方向に偏って設置され、ハンドル（３０）が真ん中置き状態で水を流す時には冷水導入口（６２）のみと連結して水を出すように形成され、なお、第一補助溝（５２）と第二補助溝（５３）は互い対応せず、且つ流体制御溝（５１）と連結せず、第一補助溝（５２）と第二補助溝（５３）はそれぞれ冷水導入口（６２）と熱水導入口（６３）に対応し、また、流体制御溝（５１）の一端は出水口（６１）と連結し、そしてもう一端は選択的に冷水導入口（６２）或いは熱水導入口（６３）と連結し、第一補助溝（５２）は選択的に冷水導入口（６２）と出水口（６１）に連結し、第二補助溝（５３）は選択的に熱水導入口（６３）と出水口（６１）に連結することによって、温度調整での流量変化が小さく、温度調整が高感度で、ガスを十分に燃焼させる効果があることを特徴とするセラミックバルブ構造。
【請求項２】
前記出水口（６１）の周辺には出水口（６１）と連結する第一延伸部（６１１）、第二延伸部（６１２）及び第三延伸部（６１３）が設けられ、第一延伸部（６１１）は流体制御溝（５１）と連結し、第二延伸部（６１２）は選択的に第一補助溝（５２）と連結し、また、第三延伸部（６１３）は選択的い第二補助溝（５３）と連結することを特徴とする請求項１に記載のセラミックバルブ構造。
【請求項３】
前記弁箱（１０）の頂部には延伸して同軸のソケット（１１）が設けられ、ソケット（１１）の周辺には二系列で互いに対応するフランジ（１２）が形成されることを特徴とする請求項１或いは２に記載のセラミックバルブ構造。
【請求項４】
前記セラミックバルブ構造には更に、ソケット（１１）にパッキング（８０）が設けられ、パッキング（８０）の両側にはそれぞれソケット（１１）の周辺に貼り付けられた弁押え（８１）が設けられ、そして、各弁押え（８１）は一つのフランジ（１２）に対応し、各弁押え（８１）の内側にはそれぞれ突出部（８２）が形成され、また、各突出部（８２）はそれぞれ選択的に系列対応のフランジ（１２）に嵌め合うことを特徴とする請求項３に記載のセラミックバルブ構造。
【請求項５】
前記連動座（２０）の頂面に相対するハンドル（３０）の両側にはそれぞれロックナイト（２１）が設けられ、パッキング（８０）にはハンドル（３０）を貫通させるための開口部（８３）が設けられ、また、パッキング（８０）の開口部（８３）の両側にそれぞれ小孔（８５）が形成され、各ロックナイト（２１）がそれぞれ相対応する小孔（８５）を貫通し、そしてパッキング（８０）の端面に嵌め合うことによって、パッキング（８０）をソケット（１１）に制限することを特徴とする請求項４に記載のセラミックバルブ構造。
【考案の詳細な説明】
【技術分野】
【０００１】
この考案はセラミックバルブ構造に係り、特に温度調整する工程の中に流量の変化が小さく、温度調整が高感度で、且つガスを十分に燃焼させる新しい構造形態に関する。
【背景技術】
【０００２】
周知の両温度給水栓業者が利用しているセラミックバルブ構造には、調整位置が中段位置に設置する時、ユーザーがこの位置でセラミック給水弁を開けると、冷水と熱水を混合した状態で給水する。たとえユーザーが知らない状態（児童や年寄りなど）で、中段位置にあるセラミック給水弁のハンドルを上げると、給水した温度は冷水と熱水を平均で混合した温水状態で出てくるはずだが、実際の使用上には不安定な要素が含まれている。例えば、冷水端の水圧が熱水端の水圧より小さい場合、実際の給水が熱水モードに切り替え、ユーザーが火傷になる危険性がある。また、冷水と熱水の給水管のどちらも局部開通するため、熱水の給水も水圧不足の原因により、湯沸器が点火温度にならなく、ガス漏れを及ぼす可能性がある。
【０００３】
しかしながら、前記欠点を解決するため、あるセラミックバルブ構造は、可動弁体の流体制御溝が固定弁体の冷水導入口に偏り、セラミック給水弁が中段位置にある時、冷水導入口のみが流体制御溝と連結するようになる。こうすれば、水温を高く調整する時、初期感度が鈍くなり、その原因はユーザーが熱水の方向に給水弁を操作する時、最初に流体制御溝と熱水導入口の重複面積が小さいため、熱水管の水流で湯沸器に点火しにくく、なお、水流が大きくなり、湯沸器に点火できるようになると、また冷水を導入しなかったため、温度が高くなり、適温度に調整するため、給水弁を冷水のほうに調整する必要がある。
【考案の概要】
【考案が解決しようとする課題】
【０００４】
この考案の目的は確実に実用性のあり、且つ温度調整過程の流量変化が小さく、温度調整が高感度で、ガスを十分に燃焼させる新たなセラミックバルブ構造を提供することである。
【課題を解決するための手段】
【０００５】
上記課題を解決するためになされたセラミックバルブ構造は、底部中空の弁箱に連動座が捻って設けられ、連動座の頂部にはハンドルが設けられる。また、ユーザーがハンドルで連動座の回転を操作するため、ハンドルの第一端は弁箱より延伸し、そしてハンドルの第二端は連動座を貫通し、駆動ブロックが設けられる。なお、駆動ブロックの連動座と異なる一面には可動弁体が設けられ、弁箱の底部を閉鎖するための弁座を設置し、また、弁座に設置する固定弁体の両面は水密方法でそれぞれ弁座と可動弁体に貼り付けられており、なお、ユーザーがハンドルと駆動ブロックで可動弁体を操作する時、可動弁体が固定弁体に相対して水平に移動し、出水温度を選択、調整する目的を達成する。そして、固定弁体には出水口、及び互いに鏡映対応する冷水導入口と熱水導入口が形成される。可動弁体の底面には流体制御溝、第一補助溝および第二補助溝が形成され、流体制御溝は冷水導入口の方向に偏って設置され、ハンドルが真ん中置き状態で水を流す時には冷水導入口のみと連結して水を出すように形成される。なお、第一補助溝と第二補助溝は互い対応せずく、且つ流体制御溝とは連結していない。第一補助溝と第二補助溝はそれぞれ冷水導入口と熱水導入口に対応する。また、流体制御溝の一端は出水口と連結し、そしてもう一端は選択的に冷水導入口或いは熱水導入口と連結する。第一補助溝は選択的に冷水導入口と出水口に連結する。第二補助溝は選択的に熱水導入口と出水口に連結することを特徴とするセラミックバルブ構造であることを要旨としている。
【０００６】
この考案は従来の技術と比べ、中段位置で完全に冷水を提供し、水温度を上げる時、すぐに湯沸器を点火させ、且つ温度を段々と上げていく過程の中に、少しずつ熱水の流量を上げていくとともに冷水の流量を下げる技術で、温度調整の過程に流量変化が小さく、温度調整が高感度で、ガスを十分に燃焼させるなど実用進歩性と経済的利益のある効果を達成するのである。
【考案の効果】
【０００７】
この考案の「セラミックバルブ構造」は、前記可動弁体上の流体制御溝、第一補助溝と第二補助溝による新しいオリジナルな構造形態と技術特徴で、従来技術の周知構造と比べ、中段位置にある時、完全に冷水を提供し、水温度を上げる時、すぐに湯沸器を点火させ、且つ段々と温度を上昇していく過程に、熱水の流量を少しずつ上げていき、そして冷水の混合流量を少しずつ下げていく技術手段で、温度調整の過程に流量の変化が小さく、温度調整が高感度で、ガスを十分に燃焼させることを利用できる実用進歩性のあるセラミックバルブ構造である。
【図面の簡単な説明】
【０００８】
【図１】本考案の立体図である。
【図２】本考案の立体分解図である。
【図３】本考案の可動弁体と固定弁体の立体分解図である。
【図４】本考案の中段位置での出水し始める透視図である。
【図５】本考案の中段位置での出水状態に水温度を高く調整する動作のイメージ図である。
【図６】本考案の最高出水温度位置のイメージ図である。
【図７】本考案の中段位置での出水状態に冷水導入口へ振る動作のイメージ図である。
【図８】本考案の全冷水に位置するイメージ図である。
【考案を実施するための形態】
【０００９】
まず、図１〜図３を参照する。この考案のセラミックバルブ構造についてのより良い実施形態の一例で、具体的に本考案を説明するために用いられる内容であり、実用新案登録請求の範囲を制限してはならないのである。前述したセラミックバルブ構造には底部中空の弁箱１０に連動座２０が捻って設けられ、連動座２０の頂部にはハンドル３０が設けられ、また、ユーザーがハンドル３０で連動座２０の回転を操作するため、ハンドル３０の第一端は弁箱１０より延伸し、そしてハンドル３０の第二端は連動座２０を貫通し、駆動ブロック４０が設けられる。なお、駆動ブロック４０の連動座２０と異なる一面には可動弁体５０が設けられ、弁箱１０の底部を閉鎖するための弁座７０を設置する。また、弁座７０に設置する固定弁体６０の両面は水密方法でそれぞれ弁座７０と可動弁体５０に貼り付けられている。なお、ユーザーがハンドル３０と駆動ブロック４０で可動弁体５０を操作する時、可動弁体５０が固定弁体６０に相対して水平に移動し、出水温度を選択、調整する目的を達成し、そして可動弁体５０の特殊な構造設計によって、この考案が中段位置にある時、完全に冷水を提供する目的を達成し、且つ出水温度を調整する時、第一時間に出水温度を上げ、また、出水温度を急上昇することなく、セラミックバルブ構造の温度調整での感度と的確度を上げていくのである。
【００１０】
固定弁体６０には出水口６１、及び互い鏡映対応する冷水導入口６２と熱水導入口６３が形成され、出水口６１の周辺には出水口６１と連結する第一延伸部６１１、第二延伸部６１２及び第三延伸部６１３が設けられ、出水口６１が概ねアンカー状の構造形態になる。前記第一延伸部６１１が冷水導入口６２と熱水導入口６３の真ん中に延伸し、そして第二延伸部６１２と第三延伸部６１３ではそれぞれ冷水導入口６２と熱水導入口６３の方向へ伸びていくのである。
【００１１】
可動弁体５０の底面には流体制御溝５１、第一補助溝５２、第二補助溝５３が形成され、流体制御溝５１は不規則状でありながら、冷水導入口６２の方向に偏って設置され、ハンドル３０が真ん中置き状態で水を流す時には冷水導入口６２と連結して水を出すように形成される。そして、第一補助溝５２と第二補助溝５３は互い対応せず、且つ流体制御溝５１と連結しないのである。第一補助溝５２と第二補助溝５３はそれぞれ冷水導入口６２と熱水導入口６３に対応するのである。
【００１２】
そのほか、弁箱１０の頂部には延伸して同軸のソケット１１が設けられ、ソケット１１の周辺には二系列で互い対応するフランジ１２が形成される。また、連動座２０の頂面に相対するハンドル３０の両側にはそれぞれロックナイト２１が設けられ、そして適当な位置に突出柱２２が設けられるのである。
【００１３】
この考案では更に弁箱１０に設置されるパッキング８０があり、パッキング８０の両側にはそれぞれソケット１１の周辺に貼り付けられた弁押え８１が設けられ、そして、各弁押え８１は一つフランジ１２に対応する。各弁押え８１の内側にはそれぞれ突出部８２が形成され、また、各突出部８２はそれぞれ選択的に系列対応のフランジ１２に嵌め合っている。パッキング８０にはハンドル３０を貫通させるための開口部８３が形成され、且つ開口部８３の周辺には突出柱２２を貫通させるための凹み部８４が形成され、突出柱２２と凹み部８４の配合より、パッキング８０の反対設置によるハンドル３０への正常操作に影響することを避けられる。パッキング８０は開口部８３の両側にそれぞれ小孔８５が形成され、各ロックナイト２１がそれぞれ相対応する小孔８５を貫通し、そしてパッキング８０の端面に嵌め合うことによって、パッキング８０をソケット１１に制限するのである。
【００１４】
前記構造の構成によって、この考案の使用および動作状況について説明する。図４に示すように、この考案が中段位置にある時、且つ本考案を出水状態にするため、ハンドル３０を操作する時、流体制御溝５１は冷水導入口６２、出水口６１および第一延伸部６１１とそれぞれ互いに連結する。また、第一補助溝５２は冷水導入口６２と第二延伸部６１２とそれぞれ連結する。そして、第二補助溝５３は熱水導入口６３と連結するが、その他あらゆる出水構造（出水口６１、第一延伸部６１１、第二延伸部６１２、第三延伸部６１３）との連結がないため、冷水導入口６２からの冷水のみが流体制御溝５１および第一補助溝５２の順番に流れ、また出水口６１を利用して流れ出すのである。
【００１５】
ユーザーが出水温度を高く調整する動作について、図５に示すように、可動弁体５０が流体制御溝５１を利用して同時に出水口６１と熱水導入口６３を連結するほか、従来技術での水温度を高く調整する時にうまく温水を提供できない欠点を解決するため、この考案では第二補助溝５３を利用して、同時に熱水導入口６３と第三延伸部６１３を連結することによって、温度調整初期の熱水流量を上げ、湯沸器が順調に点火することを確保し、ガス漏れなど潜在的危険を克服するのである。そして、出水温度の急上昇を避けるため、流体制御溝５１にはこの時にも小さな一部が冷水導入口６２と連結し、なお、第一補助溝５２は冷水導入口６２と大面積の重複があるが、小さな一部のみが第二延伸部６１２と連結し、このような状態で、わずか少数の冷水が出水口６１より流れ出すことによって、出水温度を調節する効果があるほか、且つ熱水管路の正常流量にも影響せず、ガスの不完全燃焼も避けられるのである。続いて図５と図６に示すように、ユーザーが出水の温度が足りないと感じ、水温度を高く調整したい時、流体制御溝５１と熱水導入口６３との重複面積が段々と広がり、第一補助溝５２と第二延伸部６１２との重複面積が段々と縮まり、且つ第二補助溝５３と熱水導入口６３との重複面積も段々と縮まることになり、この状態で、本考案に流れる冷水の流量が段々と小さくなり、そして熱水の流量が大きくなることによって、全体で水温度を上げる過程の中では、本考案の出水量の変化を最低にならせ、または変化のないように維持し、いつでも安定した出水量を維持するのである。
【００１６】
図５、図７、図８に示すように、ユーザーが中段位置から冷水方向にハンドル３０を動かせ、流体制御溝５１と冷水導入口６２の重複面積が段々と広がり、そして第一補助溝５２と冷水導入口６２の重複面積が段々と縮まり、または完全に脱離するため、ユーザーが冷水を提供するエリアの間にハンドル３０を往復して動かしても、本考案で提供する出水量には大きな変化を発生せず、ほぼ同量な出水量を維持することができる。この過程で第二補助溝５３は熱水導入口６３と連結する可能性があるが、第二補助溝５３がこのエリアでは出水口６１と連結できないため、湯沸器より予想外な熱水提供がないのである。
【００１７】
また、ハンドル３０が回される時、連動座２０よりパッキング８０をソケット１１に相対して往復式に回転連動するため、突出部８２そしてそれと相対応するフランジ１２の嵌め合い関係を利用し、ユーザーが段階的に出水温度を制御することができるのである。
【符号の説明】
【００１８】
１０    弁箱
１１    ソケット
１２    フランジ
２０    連動座
２１    ロックナイト
２２    突出柱
３０    ハンドル
４０    駆動ブロック
５０    可動弁体
５１    流体制御溝
５２    第一補助溝
５３    第二補助溝
６０    固定弁体
６１    出水口
６１１    第一延伸部
６１２    第二延伸部
６１３    第三延伸部
６２    冷水導入口
６３    熱水導入口
７０    弁座
８０    パッキング
８１    弁押え
８２    突出部
８３    開口部
８４    凹み部
８５    小孔
【図１】
0003201715.tif 000003
【図２】
0003201715.tif 000004
【図３】
0003201715.tif 000005
【図４】
0003201715.tif 000006
【図５】
0003201715.tif 000007
【図６】
0003201715.tif 000008
【図７】
0003201715.tif 000009
【図８】
0003201715.tif 000010